(57)【要約】【課題】再加熱食品容器に水を注ぐことにより加水発熱剤密封容器が自動的に破れるような自動袋カッター装置を提供する。【解決手段】１本の弾性ワイヤ１の両端に作動アーム１ａ、１ａを設け、それぞれのアームの両端部を引き寄せてアームが互いに離反する方向の弾性力を附勢し、両アームの付け根を併せて水溶性の紐２で結束したことを特徴とする加水発熱剤密封容器用自動袋カッター装置。【選択図】図１
2014083406.tif 000002
【特許請求の範囲】
【請求項１】
１本の弾性ワイヤ１の両端に作動アーム１ａ、１ａを設け、それぞれのアームの両端部を引き寄せてアームが互いに離反する方向の弾性力を附勢し、両アームの付け根を併せて水溶性の紐２で結束したことを特徴とする加水発熱剤密封容器用自動袋カッター装置。
【請求項２】
水溶性の紐の先端部には、水に不溶性の結束補助紐が設けられていることを特徴とする請求項１記載の加水発熱剤密封容器用自動袋カッター装置。
【発明の詳細な説明】
【技術分野】
【０００１】  本発明は、加水発熱剤の入った密閉容器に水をかけることにより容易に自動的に開封する自動袋カッター装置に関するものである。
【背景技術】
【０００２】  従来、水を加えることにより発熱する加水発熱剤を利用して加工食品を再加熱するものでは、例えば最初からインスタントラーメン等の固形食品と発熱剤（透水性袋に包まれている）を内蔵した密閉容器であって、その容器の蓋をあけて、そのまま水を注ぎ発熱させて加熱するもの（例えば特許文献１参照）や、密閉容器に詰めた発熱剤を内蔵するジッパー付き合成樹脂性再加熱容器を使用し、食品の再加熱に際しては、「ジッパーを開いて合成樹脂の容器に内蔵されている発熱剤（透水性袋に包まれている）を発熱剤密閉容器から取り出し、再び再加熱する食品と共に発熱剤密閉容器を破って取り出した発熱剤をジッパー付き合成樹脂性再加熱容器の中に戻し、ジッパー付き合成樹脂容器に水を注いでジッパーを閉じて、蒸気孔を開き、発熱させて加熱する」モーリアンヒートパック（登録商標）等が知られている。【０００３】  前者においては、再加熱する加工食材が限定されており、発熱体と再加熱用食品の容器が別になっている。後者においては、缶コーヒー等の飲料水や缶詰や瓶詰めパック詰めのレトルト食品の多くを自由に選択して一度に再加熱することが出来ると共に水を一度だけ注入すれば良いという利点がある。【０００４】  しかしながら、後者にあっては、加工品の再加熱に際しては、ジッパーを開けて、発熱剤入りの発熱剤密閉容器を破って発熱剤を取り出し、その発熱剤を再び再加熱用食品と共にジッパー付き合成樹脂性再加熱容器の中に戻す余分な作業が生じるため、取り扱いが不便な上に合成樹脂性再加熱容器自体も高品質の材料を使用する必要があった。
【先行技術文献】
【特許文献１】  特開２０００−１０７０３８号公報
【発明の概要】
【発明が解決しようとする課題】
【０００５】  そこで、本発明は前述したモーリアンヒートパックに示されるような加水発熱剤を利用して加工食品を再可熱する再加熱容器において、既に内蔵されている発熱剤密閉容器を取り出して手で破ることなく、再加熱する加工食品と共に再加熱容器に水を注入した時に発熱剤を内蔵した密封容器が自動的に破れるような自動袋カッター装置を提供することを目的とするものである。
【課題を解決するための手段】
【０００６】  本発明は、１本の弾性ワイヤ１の両端に作動アーム１ａ、１ａを設け、それぞれのアームの両端部を引き寄せてアームが互いに離反する方向の弾性力を附勢し、両アームの付け根を併せて水溶性の紐２で結束したことを特徴とする加水発熱剤密封容器用自動袋カッター装置で、好ましくは水溶性の紐の先端部には、水に不溶性の結束補助紐を設けることにより水溶性の紐の強度を補強するものである。
【発明の効果】
【０００７】  本発明によると、加水発熱剤を利用して加工食品を再加熱する再加熱容器の中に既に内蔵されている発熱剤密閉容器を取り出して手で破ることなく、単に再加熱用食料品と発熱剤を入れた密閉容器を再加熱容器に入れたまま水を注入するだけで発熱剤容器は自動的に開封されて水と反応し、発熱を開始するので、前述したような再加熱容器から発熱剤の密閉容器を取り出して容器を手で破って再び再加熱容器に入れると言う手間が省けると共に、従来使用されていた前述の、モーリアンヒートパックのような密封用ジッパー付きの再加熱容器が不要となり、安価な紙や発砲スチロール等を利用した再加熱容器が実用化される効果を有する。
【図面の簡単な説明】
【０００８】
【図１】本発明の加水発熱剤密封容器用自動袋カッター装置である。
【図２】本発明の加水発熱剤密封容器用自動袋カッター装置の製作工程説明図である。
【図３】本発明の使用例である。
【図４】本発明の使用例の作動説明図である。
【図５】本発明の他の使用例である。
【発明を実施するための形態】
【０００９】  以下、本発明の実施の形態を図によって説明するが、本発明はこれらの実施例に限定されるものではない。また、以下の説明において同一の機能を有する部材や部位、構成については、同一の符号を付けて説明を省略する場合がある。
【００１０】  図１は、本発明の加水発熱剤密封容器用自動袋カッター装置Ａで、１本の弾性ワイヤ１の両端にそれぞれ外方向に屈折する作動アーム１ａ、１ａを設け、それぞれのワイヤの両端部を引き寄せてアームが互いに離反する方向の弾性力を附勢し、前記ワイヤの両アームの付け根を併せて水溶性の紐２で結束したものである。２ｂは結束紐の端末固定部である。
【００１１】  図２は、この自動袋カッター装置の製造工程説明図で、先ず弾性ワイヤ１の両端部を図のように引き寄せ、水溶性結束紐２の先端部に設けた結束補助紐２ａを一方の作動アーム１ａに通し、両アームの付け根を併せて外側から紐で巻き込んで結束し、結束紐の端部を固定して図１の２ｂに見られるように端末固定部を形成する。
水に不溶性の結束補助紐２ａを使用しなくても、水溶性結束紐２の折り返し部を直接一方の作動アーム１ａに通して両方のアームの付け根を結束することが出来るが、強度の関係で水に不溶性の結束補助紐２ａを使用するのが好ましい。
水溶性の結束紐２は水溶性の特殊和紙を使用した紙紐を使用する。また、紐の端末固定部２ｂは、通常の接着剤や細い軟質ワイヤを利用することが出来る。
【００１２】  図３は、本発明の実施例で、加水発熱剤密封容器である密封袋３に本発明の自動袋カッター装置Ａを取りつけたものである。自動袋カッター装置Ａは、図のように密封袋３の切り込み３ｂを中心に袋３の上部の縁に平行に作動アーム１ａを配置し、アーム固定部材３ａ、３ａによって、作動アーム１ａ、１ａを介して自動袋カッター装置Ａは、密封袋３に固定されている。アーム固定部材は例えば、合成樹脂フィルムや和紙や布地を使用して接着固定することも弾性クリップで作動アームを挟持するようにしても良い。
【００１３】  図４は、本発明の自動袋カッター装置の作動説明図である。
５は従来のヒートパックに相当する再加熱容器であって、この実施例では箱形の容器で説明する。５ａは再加熱容器の頂部に設けられた密封ラベルで、使用時にこれを指ではがして箱の頂部に開口を形成する周知の構成である。
通常の状態では、この再加熱容器５の中には再加熱食品であるレトルト食品や缶コーヒーなどの飲料水の缶や缶詰などと一緒に図３に示す状態の自動袋カッター装置を取り付けた密封袋３が封入されている。
【００１４】  内部の食品を加熱する必要が生じた場合、先ず容器５の密封ラベル５ａを指で剥がすと注水口５ｂが開口する。そこでこの注水口から水を容器５内に注水すると、密封袋３に取りつけられた自動袋カッター装置Ａの水溶性結束紐２が水に溶けて弾性ワイヤ１の作動アームの拘束を解放するので、加熱袋３は三角状の切り口３ｂから図４のように裂ける。
すると、たちまち水が発熱剤袋４内に浸水し、加水発熱剤が発熱して容器内の水の温度が上昇して容器内の食品は加熱される。
【００１５】  図６（ａ）、（ｂ）は、他の使用例で、個別の再加熱容器にそれぞれ自働袋カッター装置を設けた密封袋３を封入したもので、好みのレトルト食品や飲料水等を必要に応じて個別に選択して再加熱することが出来る。
【００１６】  以上のように、この発明の自動袋カッター装置を使用することにより、前述した従来の再加熱容器のように、加水発熱剤を利用して加工食品を再可熱する再加熱容器の中に既に内蔵されている発熱剤密閉容器を取り出して手で破ることなく、単に再加熱用食料品と発熱剤を入れた密閉容器を再加熱容器に入れたまま水を注入するだけで発熱剤容器は自動的に開封されて水と反応し、発熱を開始するので、前述したような再加熱容器から発熱剤の密閉容器を取り出して容器を手で破って再び再加熱容器に入れると言う手間が省けると共に、従来使用されていた前述の、モーリアンヒートパックのような密封用ジッパー付きの再加熱容器が不要となり、安価な紙や発砲スチロール等を利用した再加熱容器が実用化される効果を有する。
【符号の説明】
【００１７】１・・・弾性ワイヤ
１ａ・・作動アーム
２・・・水溶性結束紐
２ａ・・結束補助紐
２ｂ・・端末固定部
３・・・密封袋
３ａ・・アーム固定部材
４・・・発熱剤袋
５・・・再加熱容器
５ａ・・密封ラベル
５ｂ・・注水口
Ａ・・・自動袋カッター装置
【図１】
2014083406.tif 000003
【図２】
2014083406.tif 000004
【図３】
2014083406.tif 000005
【図４】
2014083406.tif 000006
【図５】
2014083406.tif 000007